(57)【要約】      （修正有）【課題】複数の波長のレーザ光線を射出可能であり、低コストで而も高精度を維持し、射出効率の向上が可能な固体レーザ装置を提供する。【解決手段】第１の光軸２４を有する第１の光共振器と、第２の光軸３２を有する第２の光共振器と、第３の光軸３０を有する第３の光共振器と、前記第２の光軸と第３の光軸が交差し、第２の光軸と第３の光軸との交差部分に設けられた光路切換手段３７と、前記第１の光軸及び第２の光軸に配置された第１波長変換用光学部材２８と、前記光路切換手段を通過する前記第３の光軸に配置された第２波長変換用光学部材３８とを具備し、前記第２の光共振器が発振する第２基本波を透過する状態で前記第１波長変換用光学部材により和周波が射出され、前記光路切換手段が前記第１の光共振器が発振する第１基本波を透過する状態で前記第３の光共振器が発振する第３基本波と前記第２波長変換用光学部材とから２次高調波が射出される。【選択図】図１
2005333065.tif 000002
【特許請求の範囲】
【請求項１】
第１の光軸を有する第１の光共振器と、第２の光軸を有する第２の光共振器と、第３の光軸を有する第３の光共振器と、前記第２の光軸と第３の光軸が交差し、第２の光軸と第３の光軸との交差部分に設けられた光路切換手段と、前記第１の光軸及び第２の光軸に配置された第１波長変換用光学部材と、前記光路切換手段を通過する前記第３の光軸に配置された第２波長変換用光学部材とを具備し、前記第１の光軸は前記第３の光軸が前記光路切換手段により前記第２の光軸と平行になる様に屈折されたものであり、前記光路切換手段は前記第１の光共振器で発振される第１基本波を反射、又は透過し、前記第２の光共振器で発振される第２基本波を透過させるものであり、前記光路切換手段が前記第１の光共振器が発振する第１基本波を反射し、前記第２の光共振器が発振する第２基本波を透過する状態で前記第１波長変換用光学部材により和周波のレーザ光線が射出され、前記光路切換手段が前記第１の光共振器が発振する第１基本波を透過する状態で前記第３の光共振器が発振する第３基本波と前記第２波長変換用光学部材とから２次高調波のレーザ光線が射出されることを特徴とする固体レーザ装置。
【請求項２】
前記光路切換手段は、第１基本波と第２基本波のいずれか一方を反射し、いずれか他方を透過する光学部材と前記いずれか一方の基本波を透過する透過部を有し、前記光学部材と前記透過部とを択一的に前記交差部分に位置決めする請求項１の固体レーザ装置。
【請求項３】
前記第１基本波と第２基本波とは偏光方向が異なり、前記光学部材は偏光ビームスプリッタである請求項２の固体レーザ装置。
【請求項４】
前記光学部材はダイクロイックミラーである請求項２の固体レーザ装置。
【請求項５】
前記光学部材、透過部は回転可能な回転板に設けられた請求項２の固体レーザ装置。 
【発明の詳細な説明】
【技術分野】
【０００１】
本発明は複数の波長を持つレーザ光線を射出可能とした固体レーザ装置に関するものである。
【背景技術】
【０００２】
近年では医学治療の分野でのレーザ光線の利用が普及し、例えばレーザ光線を患部に照射し治療する医療用レーザ手術装置がある。
【０００３】
レーザ光線を利用した医療機械は、非接触で治療部位の光凝固、除去、切開等しており、又治療の種類により使用されるレーザ光線の色、即ち波長が異なっており、医療機械のレーザ光線射出源であるレーザ装置では複数の波長のレーザ光線を医療機械に供給することが望まれる。
【０００４】
複数の波長のレーザ光線を射出可能な従来のレーザ装置として特許文献１に示されるものがある。
【０００５】
図４に於いて説明する。
【０００６】
図４中、１はレーザ発振器、２は制御部、３は操作部を示しており、前記制御部２はレーザ発振器１から発せられるレーザ光線の波長の変更、レーザ光線の強度等の制御を行い、前記操作部３は波長を選択するスイッチ、レーザ光線照射条件を設定入力する為の各種スイッチが設けられている。
【０００７】
前記レーザ発振器１は励起光源である半導体レーザ４を有し、該半導体レーザ４から発せられるレーザ光線は第１共振部５、第２共振部６、第３共振部７に導かれる様になっている。
【０００８】
前記第１共振部５は第１光軸８ａ上に配設された第１反射鏡９、レーザ結晶１１、半透過鏡である出力鏡１２、該出力鏡１２の反射光軸１３上に設けられた第１波長変換用光学部材（非線形結晶）１４ａ、第２反射鏡１５ａとから構成されている。
【０００９】
前記第２共振部６は、第２光軸８ｂを有し、該第２光軸８ｂには該第２光軸８ｂ上を移動可能に設けられた第２共振部用反射鏡１６、前記第２光軸８ｂ上に設けられた第２波長変換用光学部材（非線形結晶）１４ｂ、第３反射鏡１５ｂを有し、前記第２共振部用反射鏡１６は第２共振部用駆動部１７によって移動され、前記反射光軸１３と第２光軸８ｂとの交点に位置決めされる様になっている。
【００１０】
前記第３共振部７は、第３光軸８ｃを有し、該第３光軸８ｃには該第３光軸８ｃ上を移動可能に設けられた第３共振部用反射鏡１８、前記第３光軸８ｃ上に設けられた第３波長変換用光学部材（非線形結晶）１４ｃ、第４反射鏡１５ｃを有し、前記第３共振部用反射鏡１８は第３共振部用駆動部１９によって移動され、前記反射光軸１３と第３光軸８ｃとの交点に位置決めされる様になっている。
【００１１】
上記レーザ装置に於いて、第１の波長を有するレーザ光線を射出する場合は、前記第２共振部用反射鏡１６、前記第３共振部用反射鏡１８を前記反射光軸１３から後退させる。前記第１共振部５に入射したレーザ光線は、前記第１反射鏡９と前記第２反射鏡１５ａとの間で増幅され、前記出力鏡１２を透過して射出される。
【００１２】
又、第２の波長を有するレーザ光線を射出する場合は、前記第２共振部用反射鏡１６を前記反射光軸１３と前記第２光軸８ｂとの交点に移動させ、前記第１反射鏡９と前記第３反射鏡１５ｂ間で構成される前記第２共振部６でレーザ光線を増幅させ、前記出力鏡１２を透して射出される。
【００１３】
又、第３の波長を有するレーザ光線を射出する場合は、前記第２共振部用反射鏡１６を前記反射光軸１３から後退させ、前記第３共振部用反射鏡１８を前記反射光軸１３と前記第３光軸８ｃとの交点に移動させ、前記第１反射鏡９と前記第４反射鏡１５ｃ間で構成される前記第３共振部７でレーザ光線を増幅させ、前記出力鏡１２を透して射出される。
【００１４】
而して、前記第２共振部用反射鏡１６、第３共振部用反射鏡１８の位置を選択することで、複数の波長を有するレーザ光線を射出することができる。
【００１５】
上記した従来のレーザ装置では、前記第２共振部用反射鏡１６、前記第３共振部用反射鏡１８を移動させる構成である為、駆動部、前記第２共振部用反射鏡１６、前記第３共振部用反射鏡１８のガイド機構が必要となり、機構が複雑である。又、前記第２共振部用反射鏡１６、前記第３共振部用反射鏡１８の停止位置はレーザ光線の射出効率に大きく影響する為、高精度が要求される。
【００１６】
この為、高精度が要求されるガイド機構、制御系等が必要となり、製作コストが掛るという問題があった。
【００１７】
【特許文献１】特開２００２−１５１７７４号公報
【発明の開示】
【発明が解決しようとする課題】
【００１８】
本発明は斯かる実情に鑑み、複数の波長のレーザ光線を射出可能であり、低コストで而も高精度を維持し、射出効率の向上が可能な固体レーザ装置を提供するものである。
【課題を解決するための手段】
【００１９】
本発明は、第１の光軸を有する第１の光共振器と、第２の光軸を有する第２の光共振器と、第３の光軸を有する第３の光共振器と、前記第２の光軸と第３の光軸が交差し、第２の光軸と第３の光軸との交差部分に設けられた光路切換手段と、前記第１の光軸及び第２の光軸に配置された第１波長変換用光学部材と、前記光路切換手段を通過する前記第３の光軸に配置された第２波長変換用光学部材とを具備し、前記第１の光軸は前記第３の光軸が前記光路切換手段により前記第２の光軸と平行になる様に屈折されたものであり、前記光路切換手段は前記第１の光共振器で発振される第１基本波を反射、又は透過し、前記第２の光共振器で発振される第２基本波を透過させるものであり、前記光路切換手段が前記第１の光共振器が発振する第１基本波を反射し、前記第２の光共振器が発振する第２基本波を透過する状態で前記第１波長変換用光学部材により和周波のレーザ光線が射出され、前記光路切換手段が前記第１の光共振器が発振する第１基本波を透過する状態で前記第３の光共振器が発振する第３基本波と前記第２波長変換用光学部材とから２次高調波のレーザ光線が射出される固体レーザ装置に係り、又前記光路切換手段は、第１基本波と第２基本波のいずれか一方を反射し、いずれか他方を透過する光学部材と前記いずれか一方の基本波を透過する透過部を有し、前記光学部材と前記透過部とを択一的に前記交差部分に位置決めする固体レーザ装置に係り、又前記第１基本波と第２基本波とは偏光方向が異なり、前記光学部材は偏光ビームスプリッタである固体レーザ装置に係り、又前記光学部材はダイクロイックミラーである固体レーザ装置に係り、更に又前記光学部材、透過部は回転可能な回転板に設けられた固体レーザ装置に係るものである。
【発明の効果】
【００２０】
本発明によれば、第１の光軸を有する第１の光共振器と、第２の光軸を有する第２の光共振器と、第３の光軸を有する第３の光共振器と、前記第２の光軸と第３の光軸が交差し、第２の光軸と第３の光軸との交差部分に設けられた光路切換手段と、前記第１の光軸及び第２の光軸に配置された第１波長変換用光学部材と、前記光路切換手段を通過する前記第３の光軸に配置された第２波長変換用光学部材とを具備し、前記第１の光軸は前記第３の光軸が前記光路切換手段により前記第２の光軸と平行になる様に屈折されたものであり、前記光路切換手段は前記第１の光共振器で発振される第１基本波を反射、又は透過し、前記第２の光共振器で発振される第２基本波を透過させるものであり、前記光路切換手段が前記第１の光共振器が発振する第１基本波を反射し、前記第２の光共振器が発振する第２基本波を透過する状態で前記第１波長変換用光学部材により和周波のレーザ光線が射出され、前記光路切換手段が前記第１の光共振器が発振する第１基本波を透過する状態で前記第３の光共振器が発振する第３基本波と前記第２波長変換用光学部材とから２次高調波のレーザ光線が射出されるので、複数の波長のレーザ光線を射出可能であり、構造が簡単で、射出される波長を偏光する場合の可動部が少なく、低コストで而も高精度を維持し、射出効率の向上が可能であるという優れた効果を発揮する。
【発明を実施するための最良の形態】
【００２１】
以下、図面を参照しつつ本発明を実施する為の最良の形態を説明する。
【００２２】
図１中、２１は第１レーザ光源部、２２は第２レーザ光源部、２３は第３レーザ光源部、５５は第１光共振器、５６は第２光共振器、５７は第３光共振器を示している。
【００２３】
前記第１レーザ光源部２１は第１光軸２４を有し、該第１光軸２４上に第１集光レンズユニット２５、第１凹面鏡２６、第１固体レーザ媒質（第１レーザ結晶）２７、光路切換手段３７（後述）が配設され、前記第１光軸２４は前記光路切換手段３７により屈折され、前記第１光軸２４の屈折された部分（以下第１光軸２４′）に第１非線形光学媒質（第１波長変換用光学部材（ＮＬＯ））２８、第１出力鏡２９が配設される。
【００２４】
前記第１集光レンズユニット２５と対向して第１ＬＤ発光器（半導体レーザ：Ｌａｓｅｒ  Ｄｉｏｄｅ）３１が配設され、該第１ＬＤ発光器３１から発せられた励起光は、前記第１集光レンズユニット２５に入射され、前記第１凹面鏡２６を透過して前記第１集光レンズユニット２５により前記第１レーザ結晶２７に集光される。尚、前記第１ＬＤ発光器３１は単一の半導体レーザであっても、複数の半導体レーザで構成されるものであってもよい。
【００２５】
前記第１ＬＤ発光器３１から射出され、前記第１凹面鏡２６と第１出力鏡２９間で発振されるレーザ光線の偏光方向は、例えばＳ偏光となる様に前記第１レーザ結晶２７の結晶方向が設定されている。
【００２６】
前記光路切換手段３７は、回転可能に設けられた回転板５１を具備し、該回転板５１には光学部材例えば偏光ビームスプリッタ５２、前記第１光軸２４を光学的に遮らない透過孔５３が設けられ、前記回転板５１の回転軸５４は前記第１光軸２４に対して傾斜し、前記回転板５１は図示しないモータ、ソレノイド等の回転手段により所定回転され、第１の回転位置と第２の回転位置に位置決め可能となっている。又、第１の回転位置では前記偏光ビームスプリッタ５２が前記第１光軸２４上に位置し、第２の回転位置では透過孔５３が前記第１光軸２４上に位置する様になっている。
【００２７】
前記偏光ビームスプリッタ５２は、前記第１凹面鏡２６と第１出力鏡２９間で発振されるレーザ光線（第１基本波）の偏光方向ｓに対して９０°偏光方向が異なっている。従って、前記偏光ビームスプリッタ５２はＳ偏光を反射し、Ｐ偏光を透過する様になっている。
【００２８】
前記第１凹面鏡２６の反射面、及び前記第１出力鏡２９の反射面にはそれぞれ誘電体反射膜が形成される。前記第１レーザ結晶２７は励起用固体レーザ素子であり、前記第１ＬＤ発光器３１の波長が８０９ｎｍの場合、例えばＮｄ：ＹＶＯ4 を使用すると１０６４ｎｍの波長で発振される。その他Ｎｄ3+イオンをドープしたＹＡＧ（イットリウム  アルミニウム  ガーネット）等が採用され、ＹＡＧは、９４６ｎｍ、１０６４ｎｍ、１３１９ｎｍ等の発振線を有している。又、発振線が７００〜９００ｎｍのＴｉ（Ｓａｐｐｈｉｒｅ）等を使用することができる。
【００２９】
前記第１波長変換用光学部材２８は和周波用の波長変換用光学部材であり、前記偏光反射板３７側には誘電体反射膜５８が形成される。第１波長変換用光学部材２８としてはＫＴＰ（ＫＴｉＯＰＯ4   リン酸チタニルカリウム）が用いられる。尚、上記第１波長変換用光学部材２８としてはＫＴＰの他に、ＢＢＯ（β−ＢａＢ2 Ｏ4   β型ホウ酸バリウム）、ＬＢＯ（ＬｉＢ3 Ｏ5   トリホウ酸リチウム）、ＫＮｂＯ3 （ニオブ酸カリウム）等も採用される。
【００３０】
前記第１凹面鏡２６の誘電体反射膜は、前記第１ＬＤ発光器３１からの励起光、例えば８０９ｎｍの励起光に対して高透過であり、且つ前記第１レーザ結晶２７が発する発振波長（第１基本波）、例えば１０６４ｎｍの第１基本波に対して高反射である。
【００３１】
前記第１出力鏡２９の誘電体反射膜は、前記第１基本波と第２レーザ結晶３６が発する発振波長の第２基本波に対して高反射であり、前記第１波長変換用光学部材２８による第１基本波と第２基本波との和周波（ＳＦＧ：ＳＵＭ  ＦＲＥＱＵＥＮＣＹ  ＧＥＮＥＲＡＴＩＯＮ）に対して高透過となっている。例えば１０６４ｎｍの第１基本波と１３４２ｎｍの第２基本波に高反射であり、５９３ｎｍ（オレンジ色レーザ光線）の和周波に高透過である。
【００３２】
前記第１波長変換用光学部材２８の誘電体反射膜５８は、第１基本波と第２基本波に対して高透過であり、和周波に高反射である。
【００３３】
前記第１レーザ光源部２１では、前記第１凹面鏡２６と前記第１出力鏡２９と前記第１レーザ結晶２７で第１光共振器５５が構成され、前記第１ＬＤ発光器３１からのレーザ光線を前記第１集光レンズユニット２５を介して前記第１レーザ結晶２７にポンピングさせると、前記第１凹面鏡２６と前記第１出力鏡２９との間でレーザ光線が往復しＳ偏光になる様規定された第１基本波が発振する。
【００３４】
同様に前記第２レーザ光源部２２では、第２凹面鏡３５と前記第１出力鏡２９と前記第２レーザ結晶３６で第２光共振器５６が構成され、第２ＬＤ発光器３３からのレーザ光線を第２集光レンズユニット３４を介して前記第１レーザ結晶３６にポンピングさせると、前記第２凹面鏡３５と前記第１出力鏡２９との間でレーザ光線が往復しＰ偏光になる様に規定された第２基本波が発振する。第２基本波としては、例えば、前記第２ＬＤ発光器３３からの励起光が８０９ｎｍであるとき第２基本波の１３４２ｎｍとなる構成となっている。
【００３５】
前記第１光軸２４と一部を共有し前記光路切換手段３７を通過する第３光軸３０の前記光路切換手段３７通過部分には第２波長変換用光学部材３８及び第２出力鏡３９が配設されている。前記第１凹面鏡２６と前記第２出力鏡３９間と前記第２波長変換用光学部材３８とで第３光共振器５７を構成し、第３基本波が発振される。前記第２波長変換用光学部材３８は、例えば波長１０６４ｎｍの第３基本波を５３２ｎｍの第二高調波（緑色レーザ光線）に変換するＳＨＧ−ＫＴＰから成る。
【００３６】
前記第２出力鏡３９は誘電体反射膜が形成され、第３基本波に対して高反射であり、第二高調波に対して高透過である。前記第２波長変換用光学部材３８の前記偏光反射板３７側には誘電体反射膜５９が形成され、該誘電体反射膜５９は第３基本波に対して高透過であり、第二高調波に対して高反射である。
【００３７】
前記第２レーザ光源部２２は第２光軸３２を有し、該第２光軸３２は前記光路切換手段３７の位置で前記第３光軸３０と例えば９０°で交差し、前記第２光軸３２上に前記第２ＬＤ発光器３３、第２集光レンズユニット３４、第２凹面鏡３５、第２レーザ結晶３６が配設され、前記第２光軸３２の前記光路切換手段３７を透過する部分は前記第１光軸２４′と共有となっており、前記第１波長変換用光学部材２８、第１出力鏡２９も同様に前記第１レーザ光源部２１と共有している。
【００３８】
前記第２ＬＤ発光器３３から発せられた励起光は、Ｐ偏光であり、前記第２集光レンズユニット３４に入射され、前記第２凹面鏡３５を透過して前記第２集光レンズユニット３４により前記第２レーザ結晶３６に集光される。
【００３９】
尚、第２レーザ結晶３６には、Ｎｄ：ＹＶＯ4 、Ｎｄ3+イオンをドープしたＹＡＧ（イットリウム  アルミニウム  ガーネット）、Ｔｉ（Ｓａｐｐｈｉｒｅ）等が使用され、第２波長変換用光学部材３８としてはＫＴＰ（ＫＴｉＯＰＯ4   リン酸チタニルカリウム）、ＢＢＯ（β−ＢａＢ2 Ｏ4   β型ホウ酸バリウム）、ＬＢＯ（ＬｉＢ3 Ｏ5   トリホウ酸リチウム）、ＫＮｂＯ3 （ニオブ酸カリウム）等が採用される。
【００４０】
前記第３レーザ光源部２３は第４光軸４２を有し、該第４光軸４２上に第３ＬＤ発光器４３、第３集光レンズユニット４４、反射鏡４５が配設され、前記第３ＬＤ発光器４３は赤色レーザ光線を発する。前記第４光軸４２は前記反射鏡４５によって第４光軸４２′に偏向される。
【００４１】
前記第２出力鏡３９を透過する前記第３光軸３０は反射鏡４１で偏向され前記第４光軸４２′と交差し、前記第３光軸３０と第４光軸４２′との交点には、第１ダイクロイックミラー４６が配設されている。又、前記第１光軸２４′と前記第４光軸４２′とは交差し、第１光軸２４′と第４光軸４２′との交点に第２ダイクロイックミラー４７が配設されている。
【００４２】
前記第１ダイクロイックミラー４６は前記第３ＬＤ発光器４３が発するレーザ光線、例えば赤色レーザ光線を透過し、赤色レーザ光線以外の波長のレーザ光線を反射するものである。前記第２ダイクロイックミラー４７は、前記第１光軸２４′からの和周波、例えばオレンジ色（５９３ｎｍ）の波長を反射し、その他の波長を透過する様になっている。
【００４３】
又、前記光路切換手段３７が前記回転板５１を第１の回転位置、即ち前記偏光ビームスプリッタ５２が第１光軸２４上に位置決めしている状態で、前記第１ＬＤ発光器３１と前記第２ＬＤ発光器３３とを同時に駆動して両第１ＬＤ発光器３１、第２ＬＤ発光器３３から励起光を射出させると、前記第１ＬＤ発光器３１からのＳ偏光光束は前記偏光ビームスプリッタ５２で反射され、前記第２ＬＤ発光器３３からのＰ偏光光束は前記偏光ビームスプリッタ５２を透過する。
【００４４】
而して、前記第２ＬＤ発光器３３からのレーザ光線により前記第２凹面鏡３５と前記第１出力鏡２９間で第２基本波が発振され、前記第１ＬＤ発光器３１からのレーザ光線により前記第１凹面鏡２６と前記第１出力鏡２９間で第１基本波が発振され、該第１出力鏡２９からは第１基本波と第２基本波との和周波（ＳＦＧ）が射出される。該和周波の色を、例えば波長５９３ｎｍのオレンジとする。
【００４５】
尚、固体レーザ装置は前記第１ＬＤ発光器３１、前記第２ＬＤ発光器３３、第３ＬＤ発光器４３の駆動状態を駆動制御する電源制御部４９を具備しており、該電源制御部４９は前記第１ＬＤ発光器３１、前記第２ＬＤ発光器３３、前記第３ＬＤ発光器４３を独立して点滅可能、或は同期して光強度の制御が可能等種々の態様で制御が可能となっている。
【００４６】
以下、図２、図３を参照して作用について説明する。
【００４７】
前記第１ＬＤ発光器３１、前記第２ＬＤ発光器３３を消灯し、前記第３ＬＤ発光器４３を点灯すると、赤色レーザ光線は前記反射鏡４５で反射され、前記第１ダイクロイックミラー４６、前記第２ダイクロイックミラー４７を透過する。従って、固体レーザ装置からは赤色レーザ光線が射出される。
【００４８】
図２に示される様に、前記第３ＬＤ発光器４３を消灯し、前記回転板５１を第１の回転位置とし、前記偏光ビームスプリッタ５２が前記第１光軸２４上に位置決めされる。前記第１ＬＤ発光器３１と前記第２ＬＤ発光器３３とを点灯すると、前記第１ＬＤ発光器３１の励起光により前記第１光共振器５５はＳ偏光になる様に規定された第１基本波を発振し、前記偏光ビームスプリッタ５２により反射される。前記第２ＬＤ発光器３３の励起光により前記第２光共振器５６はＰ偏光になる様に規定された第２基本波を発振し、前記偏光ビームスプリッタ５２を透過する。
【００４９】
第１基本波と第２基本波は、前記第１波長変換用光学部材２８により和周波のレーザ光線となり、和周波の例えばオレンジレーザ光線は前記第１出力鏡２９を透過して射出され、前記ダイクロイックミラー４７で反射され、固体レーザ装置からはオレンジレーザ光線が射出される。
【００５０】
次に、図３に示される様に、前記回転板５１を回転して第２の回転位置とし、前記透過孔５３を前記第１光軸２４上に位置決めする。前記第１ＬＤ発光器３１を点灯し、前記第２ＬＤ発光器３３、第３ＬＤ発光器４３を消灯すると、前記第１ＬＤ発光器３１からのレーザ光線は前記透過孔５３を透過して、前記第１凹面鏡２６と前記第２出力鏡３９間で第３基本波が発振され、更に前記第２波長変換用光学部材３８により例えば緑色レーザ光線が発振され、緑色レーザ光線が前記第２出力鏡３９より射出される。緑色レーザ光線は前記反射鏡４１、前記第１ダイクロイックミラー４６で反射され、前記第２ダイクロイックミラー４７を透過して固体レーザ装置からは緑色レーザ光線が射出される。
【００５１】
而して、前記電源制御部４９により前記第１ＬＤ発光器３１、前記第２ＬＤ発光器３３、前記第３ＬＤ発光器４３の点滅制御、前記回転板５１の回転位置制御により、固体レーザ装置からは赤色、オレンジ色、緑色の３色のレーザ光線を発することが可能である。又、前記光路切換手段３７は回転により位置が変更されるので、機構が簡単である。
【００５２】
尚、上記偏光ビームスプリッタ５２は、ダイクロイックミラー５２′に変更してもよい。この場合、例えばダイクロイックミラー５２′は前記第１光共振器５５で発振される第１基本波（１０６４ｎｍの波長）を反射し、前記第２光共振器５６で発振される第２基本波（１３４２ｎｍの波長）を透過する様になっている。
【００５３】
この場合も、前述したと同様にダイクロイックミラー５２′が第１光軸２４上に位置される状態で和周波が生成され、第１出力鏡２９からはオレンジ色のレーザ光線が射出され、前記透過孔５３が第１光軸２４上に位置される状態で、緑色のレーザ光線が射出される。
【００５４】
尚、上記説明では偏光ビームスプリッタ５２、透過孔５３を回転板５１に設けたが、前記第１光軸２４に対して出入りするスライド板に設けてもよい。又、スライド板は単に偏光ビームスプリッタ５２を前記第１レーザ光源部２１に対して挿脱するだけとし、前記偏光ビームスプリッタ５２が第１光軸２４上に位置しない場合は、該第１光軸２４を遮らない空間である透過部を形成するものであってもよい。
【００５５】
又、適宜レーザ結晶、波長変換用光学部材を選択することで種々の色のレーザ光線を射出できることは言う迄もない。
【図面の簡単な説明】
【００５６】
【図１】本発明の実施の形態を示す概略構成図である。
【図２】本発明の実施の形態の作用を示す説明図である。
【図３】本発明の実施の形態の作用を示す説明図である。
【図４】従来例の概略構成図である。
【符号の説明】
【００５７】
２１            第１レーザ光源部
２２            第２レーザ光源部
２３            第３レーザ光源部
２４            第１光軸
２６            第１凹面鏡
２７            第１レーザ結晶
２８            第１波長変換用光学部材
２９            第１出力鏡
３１            第１ＬＤ発光器
３２            第２光軸
３３            第２ＬＤ発光器
３５            第２凹面鏡
３６            第２レーザ結晶
３７            光路切換手段
３８            第２波長変換用光学部材
３９            第２出力鏡
４３            第３ＬＤ発光器
４９            電源制御部
５１            回転板
５２            偏光ビームスプリッタ
５３            透過孔
【図１】
2005333065.tif 000003
【図２】
2005333065.tif 000004
【図３】
2005333065.tif 000005
【図４】
2005333065.tif 000006